(57)【要約】【課題】補強部材の寸法に精度が要求されず、かつ、強度も充分に確保された画像形成装置用フレームを提供する。【解決手段】画像形成用の各内部機器が配設され、画像形成装置の外枠カバーを支持する合成樹脂製のフレーム１において、画像形成用の各機器が配設されるベース部材３１と、ベース部材３１の両側部に下方に垂設された脚部３２１，３２２とを有し、脚部３２１から脚部３２２までの距離よりも若干短い長さを有する略Ｌ字状の補強部材６１，６２が、脚部３２１及び脚部３２２とベース部材３１とで形成されるコーナ部にそれぞれ取り付けられている。【選択図】        図１３
2004151510.tif 000002
【特許請求の範囲】
【請求項１】
画像形成用の各内部機器が配設され、画像形成装置の外枠カバーを支持する合成樹脂製フレームにおいて、
画像形成用の各機器が配設されるベース部材と、
前記ベース部材の両側部に下方に垂設された脚部とを有し、
前記ベース部材の一側部に設けられている脚部から他方の側部に設けられている脚部までの距離よりも若干短い長さを有する略Ｌ字状の補強部材が、前記脚部と前記ベース部材とで形成される各コーナ部に、略Ｌ字状部分をあてがった状態でそれぞれ取り付けられていることを特徴とする画像形成装置用フレーム。
【請求項２】
前記補強部材は、その幅方向両端部が折り曲げられて側壁部及び底板部からなる断面視略コ字状とされ、略Ｌ字状曲げ部分の内側にあたる側壁部には、側壁部の幅方向端部から中央部まで切欠部が設けられていることを特徴とする請求項１に記載の画像形成装置用フレーム。
【請求項３】
前記補強部材は、一方の補強部材の両側壁と底板とで囲まれた内部に他方の補強部材が嵌り込むように形成され、一方の補強部材の内部に他方の補強部材が嵌り込んだ状態で、前記脚部と前記ベース部材とで形成されるコーナ部に取り付けられていることを特徴とする請求項１又は請求項２に記載の画像形成装置。
【請求項４】
前記補強部材は板金からなることを特徴とする請求項１乃至請求項３のいずれかに記載の画像形成装置用フレーム。
【請求項５】
記録紙が収容された給紙カセットが、前記ベース部材の前面部から前後方向に引き出し自在となるように、前記ベース部材下面と当該ベース部材両側部の脚部とで形成される給紙カセット取り付け部を有し、
前記補強部材が、前記給紙カセット取り付け部を構成するベース部材下面と脚部とで形成される各コーナ部にそれぞれ取り付けられていることを特徴とする請求項１乃至請求項４のいずれかに記載の画像形成装置用フレーム。
【発明の詳細な説明】
【０００１】
【発明の属する技術分野】
本発明は、画像形成用の各機器や画像形成装置の外枠カバーを支持する画像形成装置用フレームに関する。
【０００２】
【従来の技術】
従来から、画像形成装置の内部には、画像形成装置の外枠カバーを支持する合成樹脂製のフレーム（骨組み）が備えられており、これらフレーム及び外枠カバーにより画像形成装置本体の強度が保たれ、内部機器が保護されるようになっている。このフレームは、外枠カバーを支持するだけではなく、その内部には感光体ドラム、現像器、転写器等の画像形成ユニットや定着用ユニット等の画像形成用の各機器が配設される（例えば、特許文献１参照）。
【０００３】
このようなフレームは、合成樹脂製であることから軽量化が図れる反面、充分な強度を確保することが難しい。そのため、ベース部材の下面と、当該ベース部材の両側部に設けられた脚部とでフレーム前面に形成される給紙カセット取り付け部等の大きな開口スペースを必要とする箇所には、ベース部材下面の縁部と脚部との結合部を補強するために、板金等からなる補強部材が取り付けられる。
【０００４】
例えば、▲１▼図１７（ａ）に示すように、Ｕ字状に折り曲げた形状の補強部材６５を当該給紙カセット取り付け部を構成するベース部材下面の縁部と脚部で形成されるコーナ部に取り付けたり、▲２▼また、図１７（ｂ）に示すように、Ｕ字状の折り曲げ部分の内側に切り込みを入れて、折り曲げ部分に弾力を持たせて多少の変形が可能となるようにして寸法誤差を吸収できるようにした補強部材６６を、給紙カセット取り付け部を構成するベース部材下面の縁部と脚部とで形成されるコーナ部に取り付けるようにしている。
【０００５】
【特許文献１】
特開平９−４３９２９号公報
【０００６】
【発明が解決しようとする課題】
しかしながら、上記▲１▼で示した補強部材６５は、長さ方向両サイドの折曲部分が可撓性を有しないため、ベース部材と脚部とで囲われた取り付け位置に対する寸法合わせに高精度が要求される。また、上記▲２▼で示した補強部材６６は、Ｕ字状の折り曲げ部分の切り込みの存在により、当該折り曲げ部分の強度が弱くなってしまい、ベース部材と脚部の結合部を充分な強度で補強することができない。
【０００７】
本発明は、上述した問題点を解決するためになされたものであり、補強部材の寸法に精度が要求されず、かつ、強度も充分に確保された画像形成装置用フレームを提供することを目的とする。
【０００８】
【課題を解決するための手段】
上記目的を達成するために請求項１に記載の発明は、画像形成用の各内部機器が配設され、画像形成装置の外枠カバーを支持する合成樹脂製フレームにおいて、
画像形成用の各機器が配設されるベース部材と、
前記ベース部材の両側部に下方に垂設された脚部とを有し、
前記ベース部材の一側部に設けられている脚部から他方の側部に設けられている脚部までの距離よりも若干短い長さを有する略Ｌ字状の補強部材が、前記脚部と前記ベース部材とで形成される各コーナ部に、略Ｌ字状部分をあてがった状態でそれぞれ取り付けられているものである。
【０００９】
この構成によれば、補強部材が、ベース部材の一側部に設けられている脚部から他方の側部に設けられている脚部までの距離よりも若干短い長さを有する形状であるため、脚部とベース部材とのコーナ部への補強部材の取り付けは、脚部とベース部材とで囲まれた取り付け部分に対する寸法合わせが精度良く行われていなくても簡単に行うことができる。また、略Ｌ字状の補強部材を脚部とベース部材との各コーナ部にそれぞれ取り付けるので、ベース部材と脚部との結合部を充分な強度で補強することができる。
【００１０】
また、請求項２に記載の発明は、請求項１に記載の画像形成装置用フレームであって、前記補強部材は、その幅方向両端部が折り曲げられて側壁部及び底板部からなる断面視略コ字状とされ、略Ｌ字状曲げ部分の内側にあたる側壁部には、側壁部の幅方向端部から中央部まで切欠部が設けられているものである。
【００１１】
この構成によれば、補強部材の幅方向両端部が折り曲げられて断面視略コ字状に形成されているため、当該補強部材の曲げや捻れに対する強度を確保することができる。また、前記略Ｌ字状の曲げ部分の内側にあたる側壁部には、側壁部の幅方向端部から中央部まで切欠部が設けられているので、補強部材の強度を確保したままで、補強部材を略Ｌ字状に形成することができる。
【００１２】
また、請求項３に記載の発明は、請求項１又は請求項２に記載の画像形成装置であって、前記補強部材は、一方の補強部材の両側壁と底板とで囲まれた内部に他方の補強部材が嵌り込むように形成され、一方の補強部材の内部に他方の補強部材が嵌り込んだ状態で、前記脚部と前記ベース部材とで形成されるコーナ部に取り付けられているものである。
【００１３】
この構成によれば、一方の補強部材の内部に他方の補強部材が嵌り込んだ状態で、補強部材が脚部とベース部材とで形成されるコーナ部に取り付けられているので、２つの補強部材の取り付けに要するスペースを削減することができる。また、２つの補強部材を重ね合わせて一体化して取り付けることになるので、当該２つの補強部材によって得られる強度が更に向上する。
【００１４】
また、請求項４に記載の発明は、請求項１乃至請求項３のいずれかに記載の画像形成装置用フレームであって、前記補強部材は板金からなるものである。
【００１５】
この構成によれば、補強部材が板金であるため、当該補強部材の強度が充分に確保される。また、補強部材を板金の折り曲げによって簡単に形成することができる。
【００１６】
また、請求項５に記載の発明は、請求項１乃至請求項４のいずれかに記載の画像形成装置用のフレームであって、記録紙が収容された給紙カセットが、前記ベース部材の前面部から前後方向に引き出し自在となるように、前記ベース部材下面と当該ベース部材両側部の脚部とで形成される給紙カセット取り付け部を有し、
前記補強部材が、前記給紙カセット取り付け部を構成するベース部材下面と脚部とで形成される各コーナ部にそれぞれ取り付けられているものである。
【００１７】
この構成によれば、給紙カセットを収容するために開口スペースを大きく設ける必要があり、強度が確保され難い給紙カセット取り付け部が、当該補強部材によって簡単かつ充分な強度をもって補強される。
【００１８】
【発明の実施の形態】
以下、本発明の一実施形態に係る画像形成装置用フレームについて図面を参照して説明する。図１は本発明に係る画像形成装置用フレームが適用された複写機の外観構成を示す斜視図である。図１に示す複写機（画像形成装置の一例）１０の外形は、本体ハウジング１００とその上部に載置された上ハウジング１０１で区画されている。本体ハウジング１００と上ハウジング１０１の中間部には右側側面から略水平方向に内側に入り込んだ用紙スタック空間部１０２が形成されている。この用紙スタック空間部１０２は、本体ハウジング１００から横方向に排出される用紙を受け取るものである。さらに、本体ハウジング１００の側部には、本体ハウジング１００の外側へ排出される用紙を積載するためのシートトレイ１０３が設けられている。
【００１９】
上ハウジング１０１は原稿画像を読み取るために原稿を画像読取り位置に搬送する原稿搬送部２００と、画像読取り位置において原稿を露光走査して画像読取りする原稿読取り部とを有している。さらに本体ハウジング１００は、用紙の給紙部と、用紙上にトナー画像を形成する感光体ドラム及び現像部と、用紙上のトナー画像を定着するための定着部を内蔵した下ハウジング１０４と、定着後の用紙を搬送して用紙スタック空間部１０２又はシートトレイ１０３に排出するための用紙搬送路を内蔵した連結ハウジング１０５とで区画されている。本体ハウジング１００の前面下部には、記録紙が収容される給紙カセット１０６が手前側から奥行き方向に引き出し自在に取り付けられている。
【００２０】
次に、画像形成装置用フレームについて説明する。図２は本発明に係る画像形成装置用フレームを前方斜め上から見た斜視図、図３は画像形成装置用フレームを前方斜め上から図２とは角度を変えて見た斜視図、図４は画像形成装置用フレームを後方斜め上から見た斜視図、図５は画像形成装置用フレームを後方斜め上から図４とは角度を変えて見た斜視図である。図６は画像形成装置用フレームの正面図、図７及び図８は画像形成装置用フレームの側面図である。画像形成装置用フレーム（以下、フレーム）１は、合成樹脂等からなり、複写機１０の外枠カバーや画像形成用の内部機器等を支持する複数の支持部材２１，２３，２４，２５が上部に形成され、フレーム１を設置面に直立させるベース部材３が下部に形成されている。
【００２１】
ベース部材３は、水平方向に延びて上面に支持部材２１等が形成されているベース部材３１と、ベース部材３１下部の両側端から下方に延びるように形成され、フレーム１を直立させる脚部３２１，３２２とからなる。ベース部材３１及び脚部３２によって形成されるフレーム１前面部の開口部は、給紙カセット１０６（図１）が前後方向に引き出し自在に取り付けられる給紙カセット取付部３３である。
【００２２】
図２において、ベース部材３１の上面には、フレーム１前面の左側部に支持部材２１、フレーム１前面の右側部に支持部材２３、前部に平板状の支持部材２４、後部に平板状の支持部材２５が形成されている。支持部材２１及び２３の前側面には、本体ハウジング１００の前面部にあたる外枠カバーが取り付けられる。また、支持部材２３及び脚部３２２の右側面には、本体ハウジング１００の右側面にあたる外枠カバーが取り付けられる。支持部材２１及び脚部３２１の左側面には、本体ハウジング１００の左側面にあたる外枠カバーが取り付けられる。フレーム１の前後面に形成されている支持部材２４，２５は、その両側に画像形成用の内部機器が配設される。なお、本体ハウジング１００の後側面にあたる外枠カバーは、フレーム１のベース部材３の後側面に取り付けられる。
【００２３】
フレーム１の側部（図２及び図３では左側部）には、給紙カセット１０６から出て作像ユニット（現像部等）を通過した記録紙を定着ユニットに搬送する搬送ユニットを配置するための搬送ユニット配置部２７が形成されている。
【００２４】
支持部材２１の上部には、連結ハウジング１０５にあたる外枠カバーが取り付けられる。支持部材２３の上部には、用紙スタック空間部１０２にあたる外枠カバーが取り付けられる。
【００２５】
フレーム１の後面側の支持部材２５には、上方に突出した形状の突部２５１が設けられている。この突部２５１の先端は、支持部材２１，２３の上部先端と仮想的に平面を形成するように高さ設定がされている（すなわち、突部２５１の上部先端部は、支持部材２１，２３の上部先端とが略同一平面上となるように高さが設定されている）。
【００２６】
また、突部２５１の上端部は、支持部材２１，２３の先端の高さよりも低く設定されている。さらに、突部２５１は、その先端の上面部全体が、支持部材２１，２３の先端とで形成される略同一平面上にあるように形成されている。
【００２７】
次に、フレーム１に対する画像形成用機器の配置について説明する。図９はフレーム１に対する画像形成用の主な内部機器の配置を模式的に示す側面図である。フレーム１には、その前方から見て、ベース部材３の中央部から左に寄った位置には、作像ユニット（現像ユニット）５１が配設され、その左側方には作像ユニット５１を通過した記録紙を定着ユニット５２に向けて搬送する搬送ユニット５３が配設される。
【００２８】
搬送ユニット５３の上方には、記録紙に転写されたトナー画像を記録紙に定着させる定着ユニット５２が配設される。この定着ユニット５２は、本体ハウジング１００の上ハウジング１０１と下ハウジング１０２とを繋ぐ連結ハウジング１０５（図１参照）の内部に収められる。定着ユニット５２の側方には、定着ユニット５２を通過した記録紙を用紙スタック空間部１０２に排出する排出ユニット５５が配設される。原稿画像を読み取るスキャナ等からなる光学系ユニット５６は、定着ユニット５２及び排出ユニット５５上方の上ハウジング１０１内に収められる。
【００２９】
突部２５１の先端高さは、ベース部材３に配置された作像ユニット５１の上部と略同じ高さとされ、フレーム１に本体ハウジング１００を取り付けたときに、用紙スタック空間部１０２の形成に支障を及ぼさないように設定されている。また、突部２５１は、フレーム１に対して上記各作像ユニット５１，定着ユニット５２，搬送ユニット５３，定着ユニット５２，排出ユニット５５を配設しても支障を生じない位置に配置されている。
【００３０】
図１０はフレーム１を天地逆向きに設置した状態を示す背面図である。上記のようにフレーム１は、その下部の給紙カセット取付部３３に給紙カセット１０６が取り付けられ、支持部材２１，２３には側方から外枠カバーが取り付けられ、支持部材２１乃至２５の内部には上方及び側方から画像形成用の内部機器が配設され、支持部材２１，２３の上部には連結ハウジング１０５や用紙スタック空間部１０２となる外枠カバー等が取り付けられる。よって、フレーム１には、多方向から多種類の部品が装填されるので、これらの組立時にはフレーム１を天地逆向き等の姿勢に保持した状態として各部品を組み付ける必要がある。
【００３１】
この画像形成装置用フレーム１は、支持部材２１，２３の各先端と突部２５１の先端とが略同一平面をなすように高さ設定がされているので、図１０に示すように、画像形成装置用フレーム１を天地逆向きにした場合であっても、支持部材２１と支持部材２３と突部２５１の各先端が設置面に当接して直立する。このようにフレーム１は、姿勢保持用治具等を用いなくても、天地逆向きの状態で安定した姿勢に保持される。
【００３２】
また、突部２５１の先端は、その上面全体が設置面に当接するように設定されているので、支持部材２１，２３の先端が設置面に接する面積が小さくても、フレーム１を天地逆向きに設置した姿勢がより安定する。
【００３３】
次に、給紙カセット１０６が配設されるフレーム１前面の給紙カセット取付部３３の補強について説明する。図１１及び図１２はフレーム１前面のベース部材３１下面と脚部３２１，３２２との結合部に取り付けられる補強部材を示す図である。フレーム１前面のベース部材３１下面と脚部３２１，３２２との結合部には、当該結合部の強度を補強するために、板金等からなる略Ｌ字状の補強部材６１，６２が取り付けられる。
【００３４】
図１１に示す補強部材６１は、略Ｌ字状折曲部分を境に短辺部６１Ａと長辺部６１Ｂとからなる。短辺部６１Ａは、脚部３２１又は脚部３２２の長さと略同等（好ましくは若干短い長さ）に設定されている。長辺部６１Ｂは、ベース部材３１の一側部に設けられている脚部３２１から他方の脚部３２２までの距離（脚部３２１の内側面から脚部３２２の内側面までに亘るベース部材３１縁部の長さ）よりも若干短い長さに設定されている。
【００３５】
補強部材６１は、その幅方向両端部が折り曲げられて側壁６１１，６１２が形成され、断面視略コ字状となるように形成されている。補強部材６１の略Ｌ字状曲げ部分の内側にあたる側壁６１１，６１２部分には切欠部６１１ａ，６１２ａがそれぞれ設けられている。この切欠部６１１ａ，６１２ａは、側壁６１１，６１２の上端部（側壁６１１，６１２の幅方向端部）から側壁６１１，６１２の中央部付近までに止められ、隅部６１１ｂ，６１２ｂまでは達しないように形成されている。
【００３６】
補強部材６１の上端部６１３（略Ｌ字状曲げ部分の上部）は平板状とされ、その略中央部には、ベース部材２へのネジ止め用の穴６１３ａが設けられている。補強部材６１の他端部は側壁６１２が設けられておらず、底板６１５から側方に張り出した形状の固定部６１６が設けられており、この固定部６１６にもネジ止め用の穴６１６ａが設けられている。なお、ネジ止め用の穴６１５ａは底部６１５の長さ方向に亘る各部に設けられている。また、底部６１５には、作業用の開口６１５ｂ，６１５ｃが設けられている。
【００３７】
図１２に示す補強部材６２は、上記補強部材６１と一対で用いられるものでありベース部材３１下面と脚部３２１との結合部と、ベース部材３１下面と脚部３２２との結合部のコーナ部とに、各々いずれか一方の補強部材がそれぞれ取り付けられる。
【００３８】
補強部材６１と同様に、補強部材６２は、略Ｌ字状折曲部分を境に短辺部６２Ａと長辺部６２Ｂとからなり、短辺部６２Ａは脚部３２１又は脚部３２２の長さと略同等（好ましくは若干短い長さ）に設定され、長辺部６２Ｂはベース部材３１の一側部に設けられている脚部３２１から他方の脚部３２２までの距離（脚部３２１の内側面から脚部３２２の内側面までに亘るベース部材３１縁部の長さ）よりも若干短い長さに設定されている。
【００３９】
補強部材６２は、その幅方向両端部が折り曲げられて側壁６２１，６２２及び底板６２５が形成されて断面視略コ字状となるように形成されている。また、補強部材６２は、側壁６２１，６２２及び底板６２５で囲まれた内部に補強部材６１が嵌り込む程度の大きさに形成されている。
【００４０】
補強部材６２の略Ｌ字状曲げ部分の内側にあたる側壁６２１，６２２部分には切欠部６２１ａが設けられている。側壁６２１の切欠部６２１ａは、側壁６２１の上端部から側壁６２１の中央部付近までに止められ、隅部６２１ｂまでは達しないように形成されている。また、側壁６２２の切欠部６２２ａは、補強部材６２の内部に補強部材６１を嵌め込んだときに、補強部材６１の固定部６１６を側方に逃がすことができるように、補強部材６１の固定部６１６に対応した形状とされている。
【００４１】
補強部材６２の上端部６２３（略Ｌ字状曲げ部分の上部）は平板状とされ、その略中央部には、ベース部材２へのネジ止め用の穴６２３ａが設けられている。補強部材６２の他端部は側壁６２１が設けられておらず、底板６２５から側方に張り出した形状の固定部６２６が設けられており、この固定部６２６にもネジ止め用の穴６２６ａが設けられている。なお、ネジ止め用の穴は、補強部材６１のネジ止め用の穴６１５ａに対応する位置に設けられている。（図略）。
【００４２】
図１３はベース部材３１下部と脚部３２１，３２２との結合部に補強部材６１，６２を取り付ける様子を示す斜視図、図１４は当該取り付けの様子を別角度から見た状態を示す斜視図である。図１５は補強部材６２の長さとベース部材３１縁部の長さとの関係を示す斜視図、図１６は補強部材６２及び補強部材６１をベース部材２に取り付けた状態を示す斜視図である。
【００４３】
図１３及び図１４に示すように、補強部材６１，６２は、ベース部材３１と脚部３２１，３２２の結合部を補強するために、ベース部材３１前面下部と脚部３２１，３２２で形成される各コーナ部に取り付けられる。補強部材の取り付けは、最初に、ベース部材３１下部の縁部に補強部材６２を取り付ける。補強部材６２の長辺部６２Ｂをベース部材３１の縁部にあてがい、短辺部６２Ａを脚部３２１の内側面にあてがうと共に、隅部６２１ｂをベース部材３１と脚部３２１とで形成されるコーナ部にあてがった状態として、ネジ止め用の穴からネジによりベース部材２に補強部材６２を固定することによって、補強部材６２をベース部材２に取り付ける。
【００４４】
このように補強部材６２を取り付けたとき、上述したように、長辺部６２Ｂの長さは、脚部３２１の内側面から脚部３２２の内側面までの距離よりも若干短い長さに設定されているため、図１３に示すように、長辺部６２Ｂの端部と脚部３２２の内側面との間には若干の隙間ｌが生じる。この隙間ｌが生じることによって、補強部材６２と脚部３２１及び脚部３２２間の距離との寸法合わせが精度良く行われていなくても、補強部材６２をベース部材２の前面縁部に取り付けることができる。
【００４５】
補強部材６２をベース部材３１前面下部の縁部に取り付けた後、補強部材６１をベース部材２に取り付ける。このとき、補強部材６１の長辺部６１Ｂを、補強部材６２の長辺部６２Ｂの側壁６２１及び側壁６２２の間に嵌め込み、短辺部６１Ａを脚部３２２の内側面にあてがう。このとき、補強部材６１の固定部６１６は、補強部材６２の切欠部６２２ａから側方に逃がすことが可能なので、固定部６１６のネジ止め用の穴６１６ａにより、ネジで補強部材６１をベース部材２への固定することが可能となっている。
【００４６】
補強部材６２の内部に補強部材６１を嵌め込んだ状態は、図１６に示すようになり、この状態において、ネジ止め用の穴６１３ａ，６１５ａ，６１６ａからネジを嵌め込んで、補強部材６１を補強部材６２の上からベース部材２に固定する。このとき、補強部材６１も、補強部材６２の場合と同様に、長辺部６１Ｂの端部と脚部３２１の内側面との間に若干の隙間が生じる。この隙間が生じることによって、補強部材６１と脚部３２１及び脚部３２２間の距離との寸法合わせが精度良く行われていなくても、補強部材６１をベース部材２の前面縁部に取り付けることができる。
【００４７】
なお、本発明は上記実施の形態の構成に限られず種々の変形が可能である。例えば、上記実施の形態では、補強部材６１，６２は、板金からなるものとされているが、ベース部材３１と脚部３２１及び３２２との結合部を充分な強度で補強し得る剛性を有するのであれば、他の素材からなるものであっても構わない。
【００４８】
また、補強部材６１，６２には、それぞれ底板６１５，６２３から側方に張り出した固定部６１６，６２６が設けられているが、この固定部６１６，６２６が設けられてないものであって構わない。
【００４９】
また、上記実施形態では、補強部材６１，６２は、給紙カセット取付部３３におけるベース部材３１と脚部３２１，３２２の結合部に取り付けられるようになっているが、開口部を大きく取らなければならない等の理由により、強度不足が懸念される部分で有れば、他の部分であっても補強部材６１，６２を取り付けて補強することが可能である。
【００５０】
【発明の効果】
以上のように請求項１に記載の発明によれば、補強部材が、ベース部材の一側部に設けられている脚部から他方の側部に設けられている脚部までの距離よりも若干短い長さを有する形状であるため、当該補強部材の脚部とベース部材とのコーナ部への取り付けは、脚部とベース部材とで囲まれた取り付け部分に対する寸法合わせが精度良く行われていなくても簡単に行うことができる。また、略Ｌ字状の補強部材を脚部とベース部材との各コーナ部にそれぞれ取り付けるので、ベース部材と脚部との結合部を充分な強度で補強することができる。
【００５１】
また、請求項２に記載の発明によれば、補強部材の幅方向両端部が折り曲げられて断面視略コ字状に形成されているため、当該補強部材の曲げや捻れに対する強度を確保することができる。また、前記略Ｌ字状の曲げ部分の内側にあたる側壁部には、側壁部の幅方向端部から中央部まで切欠部が設けられているので、補強部材の強度を確保したままで、補強部材を略Ｌ字状に形成することができる。
【００５２】
また、請求項３に記載の発明によれば、一方の補強部材の内部に他方の補強部材が嵌り込んだ状態で、補強部材が脚部とベース部材とで形成されるコーナ部に取り付けられているので、２つの補強部材の取り付けに要するスペースを削減することができる。また、２つの補強部材を重ね合わせて一体化して取り付けることになるので、当該２つの補強部材によって得られる強度が更に向上する。
【００５３】
また、請求項４に記載の発明によれば、補強部材が板金であるため、当該補強部材の強度が充分に確保される。また、補強部材を板金の折り曲げによって簡単に形成することができる。
【００５４】
また、請求項５に記載の発明によれば、給紙カセットを収容するために開口スペースを大きく設ける必要があり、充分な強度が確保され難い給紙カセット取り付け部が補強部材によって簡単かつ充分な強度で補強される。
【図面の簡単な説明】
【図１】本発明に係る画像形成装置用フレームが適用された複写機の外観構成を示す斜視図である。
【図２】本発明に係る画像形成装置用フレームを前方斜め上から見た斜視図である。
【図３】画像形成装置用フレームを前方斜め上から図２とは角度を変えて見た斜視図である。
【図４】画像形成装置用フレームを後方斜め上から見た斜視図である。
【図５】画像形成装置用フレームを後方斜め上から図４とは角度を変えて見た斜視図である。
【図６】画像形成装置用フレームの正面図である。
【図７】画像形成装置用フレームの側面図である。
【図８】画像形成装置用フレームの側面図である。
【図９】画像形成装置用フレームに対する画像形成用の主な内部機器の配置を模式的に示す側面図である。
【図１０】画像形成装置用フレームを天地逆向きに設置した状態を示す背面図である。
【図１１】本発明に係る補強部材を示す図である。
【図１２】本発明に係る補強部材を示す図である。
【図１３】ベース部材下部と脚部との結合部に補強部材を取り付ける様子を示す斜視図である。
【図１４】ベース部材下部と脚部との結合部に補強部材を取り付ける様子を別角度から見た状態を示す斜視図である。
【図１５】補強部材の長さとベース部材縁部の長さとの関係を示す斜視図である。
【図１６】両補強部材をベース部材に取り付けた状態を示す斜視図である。
【図１７】（ａ）（ｂ）は従来の補強部材を示す側面図である。
【符号の説明】
１        画像形成装置用フレーム
１０      複写機
２１，２３，２４，２５  支持部材
２５１    突部
３        ベース部材
３２      脚部
３３      給紙カセット取付部
６１Ａ    短辺部
６１      補強部材
６１Ｂ    長辺部
６１１，６１２  側壁
６１１ａ，６１２ａ  切欠部
６１１ｂ，６１２ｂ  隅部
６１３    上端部
６１３ａ，６１５ａ，６１６ａ  穴
６１５    底板
６１５ｂ，６１５ｃ  開口
６１６    固定部
６２      補強部材
６２１，６２２  側壁
６２１    側壁
６２１ａ，６２２ａ  切欠部
６２１ｂ    隅部
６２２ａ  切欠部
６２３    上端部
６２５    底板
６２３ａ，６２６ａ  穴
６２６    固定部
【図１】
2004151510.tif 000003
【図２】
2004151510.tif 000004
【図３】
2004151510.tif 000005
【図４】
2004151510.tif 000006
【図５】
2004151510.tif 000007
【図６】
2004151510.tif 000008
【図７】
2004151510.tif 000009
【図８】
2004151510.tif 000010
【図９】
2004151510.tif 000011
【図１０】
2004151510.tif 000012
【図１１】
2004151510.tif 000013
【図１２】
2004151510.tif 000014
【図１３】
2004151510.tif 000015
【図１４】
2004151510.tif 000016
【図１５】
2004151510.tif 000017
【図１６】
2004151510.tif 000018
【図１７】
2004151510.tif 000019